(57)【要約】【課題】急須に対し茶漉しを容易に取付け取外しできること、取り付けたらみだりに外れないこと、及び丈夫で長く使用できること。【解決手段】急須内の茶の出口よりも上位に内向きに張り出た係止部を形成し、この係止部よりも直径が大きい金属製円形の茶漉しを、係止部を越えて挿入し、茶漉し全体を凹曲面に撓ませた状態で急須底部に装着することにより茶の出口を茶漉しで覆い、茶漉しの中央部には摘みを取り付ける。茶漉しを取り外すにはこの摘みを持って引っ張って係止部から抜き取る。【選択図】図２
0003156373.tif 000002
【実用新案登録請求の範囲】
【請求項１】
急須内の茶の出口よりも上位に突部が内向きに張り出た係止部を形成し、この係止部の急須の内径よりも直径が大きい金属製円形茶漉しを急須内に挿入し、茶漉し全体を凹曲面状に撓ませた状態で茶漉しの外周を係止部の下縁に接触させて急須底部に装着することにより前記茶の出口を覆い、そして前記茶漉しの上面中央部に摘みを取り付けることを特徴とする急須。
【請求項２】
前記係止部が環状であることを特徴とする請求項１記載の急須。
【請求項３】
前記急須の係止部より下方の内径が底部に近いほど小さくなるように形成されていることを特徴とする請求項１記載の急須。
【請求項４】
前記茶漉しがステンレス線を編んだ金網製であることを特徴とする請求項１記載の急須。
【請求項５】
前記茶漉しの装着時にその底面中央部が急須の底部中央に接することを特徴とする請求項１記載の急須。
【請求項６】
前記急須の底部中央に隆起部が形成されていることを特徴とする請求項５記載の急須。
【考案の詳細な説明】
【技術分野】
【０００１】
これは煎茶を淹れる急須に関する考案で、特に茶漉しの部分に新規な工夫を施した考案である。急須には煎茶に限らず、紅茶や中国茶を淹れるポットも含まれる。
【背景技術】
【０００２】
急須の内部に金属網などの茶漉しを取り付けたものは、昔から使用されているが、茶漉しが急須に対し固定乃至半固定で取外し不能か困難なものは、内部が洗浄しにくく衛生的でない。
【０００３】
このため、従来から茶漉しを容易に取外せるようにした考案が提案されている。
例えば、急須内に開口する茶の出口に内向きの突起を形成し、これに茶漉しの外周の環状フレームを係止して取り付け、取り外すときは、茶漉し全体を所定角度旋回して環状フレームの外周に形成した切り欠きを突起の位置に合わせて取り外すようにしたものがある（特許文献１）。
この例では、取り付けるときは切り欠きと突起の位置を合わせてから、茶漉し全体を、取り外すときと反対方向に旋回する。このように旋回するだけで取り付け取外しができるので、見かけは簡単なようであるが、実際には茶漉しに手が届きにくく簡単でない。また用済みの茶殻が急須の底に溜まって洗いにくいうえ、旋回が足りず茶漉しの環状フレームが突起に的確に係止していない場合は、使用中に茶漉しが不意に外れてしまうという欠点がある。
別の例としては、茶漉し網の上面に針金でできた取付部材の基部を連結し、茶の出口を傾斜した茶漉し網でふさいだ状態で取付部材の先端を急須の内部に係止し、取付部材の弾力で茶漉し網を固定するものがある（特許文献２）。
この場合は、茶漉し網を取り外すには、取付部材の先端を急須から外すだけでよいから、簡単ではあるが、茶漉し網と取付部材の連結箇所に取付部材の弾力が常時集中するため、茶漉し網が破損しやすいし、茶漉し網を傾斜した状態で急須内に固定するので、取り外す際、茶殻が急須の底に落ちて外部に取り出しににくい、という欠点がある。
【先行技術文献】
【特許文献】
【０００４】
【特許文献１】特開平11-18950号公報
【特許文献２】特開2002-17575号公報
【考案の概要】
【考案が解決しようとする課題】
【０００５】
そこで本考案が解決しようとする課題は、取付け取外しが簡単でありながら、ひとたび取り付けたら、みだりに茶漉しが外れないような構造を、また長期間の使用に耐える堅牢な構造を、どうしたら実現できるかという点にある。
【０００６】
本考案の目的は、茶漉しが取付け取外し容易なこと、取り付けたらみだりに外れないこと、丈夫で長く使用できること、及び急須内の茶殻を残らず外に取して急須を簡単に洗浄できることにある。
【課題を解決するための手段】
【０００７】
請求項１に係る考案は、急須内の茶の出口よりも上位に突部が内向きに張り出た係止部を形成し、この係止部の急須の内径よりも直径が大きい金属製円形茶漉しを急須内に挿入し、茶漉し全体を凹曲面に撓ませた状態で茶漉しの外周を係止部の下面に接触させて急須底部に装着することにより茶の出口を茶漉しで覆い、そして茶漉しの中央部には摘みを取り付けることを特徴とする。
請求項２に係る考案は、前記係止部が環状であることを特徴とする。
請求項３に係る考案は、前記急須の係止部より下方の内径が底部に近いほど小さくなるように形成されていることを特徴とする。
請求項４に係る考案は、前記茶漉しがステンレス線を編んだ金網製であることを特徴とする。
請求項５に係る考案は、前記茶漉しの装着時にその底面中央部が急須の底部に接することを特徴とする。
請求項６に係る考案は、請求項５に記載の急須の底部中央に隆起部が形成されていることを特徴とする。
【考案の効果】
【０００８】
請求項１の考案によれば、茶漉しの直径が係止部の急須の内径より大きいため、係止部よりも下方に押し込むと、茶漉し自身の弾力で茶漉しの外周が係止部の下面に接触して取り付けが完了する。このため茶漉しの装着が簡単容易であるという効果を奏する。
茶漉しは急須の底部において凹曲面を呈するから、茶の葉が茶漉しの上面に薄く広がる。このため茶の抽出効率が良い。
また、摘みを指先で摘んで引き上げれば、茶漉しは中央部が持ち上がって全体が凸曲面に変形し、見かけの直径が縮小して、外周が係止部から離脱する。このため、茶漉しの取外しが簡単容易であるという効果がある。
さらにこの茶漉しは自身の弾力で急須に取り付けられ、その弾力が外周全体に平均的に作用して一ヶ所に集中しないから、金属疲労などが起き難く、繰り返しの使用によく耐えるという効果がある。
請求項２の考案によれば、突部が環状で茶漉しの外周全体が突部の下面に接触するから、急須に対し茶漉しを確実に装着できる。
請求項３の考案によれば、茶漉しを急須の係止部より下方深くに押し込みすぎても、急須の内径が底部に近いほど小さくなるように形成されているから、茶漉しの復元する弾力で、外周が急須の内周面を滑り上がり係止部の下面に確実に接触する。従って、茶漉しを単に係止部の下方に押し込むだけで、確実に定位置に装着できる。
請求項４の考案によれば、茶漉しがステンレス線を編んだ金網製だから、弾性変形しやすく、また錆びもなく衛生的である。
請求項５の考案によれば、茶漉しの底面中央部が急須の底部に接し、その結果、底部から受ける反力が茶漉しの外周に対し外向きに作用するから、外周が係止部に強く押し当り、茶漉しが確実に装着できる。
請求項６の考案によれば、茶漉しの底面中央部を隆起部により上方に押し返すから、前記の反力が増強され、よりいっそう茶漉しの装着を確実なものにする。
【図面の簡単な説明】
【０００９】
【図１】本考案を実施した急須の平面図で蓋を外して示す。
【図２】図１のＡ−Ａ線に沿う断面図で、仮想線は茶漉しの取外し状態を示す。
【図３】図１とは別の急須の平面図である。
【図４】図１の摘みの拡大分解斜視図
【図５】図４の摘みの断面図
【図６】図４の摘みの側面図
【考案を実施するための形態】
【００１０】
本考案の実施の形態を図面に示して説明する。
１は急須で、陶器などで出来ている。２は注ぎ口で急須の内部とは茶の出口３で連通している。４は蓋を示す。
急須１の内側には、茶の出口３よりも上位に突部が内向きに張り出た係止部５を急須１と一体的に形成する。図１，２の係止部５は環状で、急須１の内側を連続的に１周している。図３の例では不連続で、３ヶ所に分かれているが、何ヶ所に分かれていてもよい。係止部５の突出高さは約3mmである。係止部５が不連続の場合は、茶漉しを着脱する際、摩擦抵抗が少なく、軽快に着脱できるという利点がある。
６は茶漉しで、細いステンレス線を編んだ金網から出来ている。網目は60ｍesh程度が好ましい。茶漉し６の形状は円形で、直径が急須１の内径の約1.1倍である。図の例では、係止部５が位置する急須の１の内径が80ｍｍで、茶漉し６の直径は88ｍｍである。両者の比率は1.05倍〜1.15倍が好ましい。この範囲を下回ると茶漉し６の変形が不足して抜け落ちやすく、逆に上回るときつ過ぎて急須の中に挿入しにくい。
茶漉し６は２枚以上の金網を重ねた構造でも、薄い銅板に小さい孔を無数に開けた多孔板でもよい。このような無数の小さな孔はエッチングや電鋳を利用して製造できる。
茶漉し６の外周は、金網を切断したままでも、網目が細かいため、ほぐれる心配はないが、外周に細い帯板（図示しない）を巡らせて固着すれば、切断面が保護されて更に安心である。金網を複数枚重ねた場合は、金網全部の外周を帯板で挟むように一体的に固定するとよい。
【００１１】
７は茶漉し６の中央部に取り付けたステンレス製の摘みである。図４〜６にその詳細を示す。
８は中空の軸で、下端に底フランジ９が一体的に連結してある。この軸８を茶漉し６の中心に裏から貫通し、表側からワッシャ１０を嵌めて底フランジ９との間で茶漉し７を挟む。
次に短筒１１を軸８の外側に挿通してワッシャ１０の上に重ね、短筒１１の上に止めリング１２を嵌め、止めリング１２より上方に突き出た軸８の上端開口に球体１３を押し込む。そしてこの球体１３を包み込むように、軸８の開口縁を内側に折り曲げて固定する。これにより摘み７の取付けが完了する。
摘み７の材質はステンレスが錆びずに衛生的であるが、銅や樹脂でも同じ効果が期待できる。
【００１２】
この茶漉し６を急須１に装着するには、茶漉し６全体を凹曲面に撓ませて、外周が係止部５を越えるまで急須１の底部の奥へ挿入する。このとき、係止部５より下方の急須１の内径が底部に近いほど小さくなるように形成されているため、茶漉し６を係止部５よりも奥深く押し込み過ぎても、茶漉し６の復元する弾力で、その外周が急須１の内周面を滑り上がって定位置の係止部５の下面に確実に接触する。
このように茶漉し６が装着されると、その底面中央部すなわち摘み７の底フランジ９が急須１の底部に形成した隆起部１４に接する。茶漉し６は外周が内側に向け押されて凹曲面に変形する力を受けているから、摘み７は矢印Ａのように隆起部１４に向け押される。その結果、隆起部１４から受ける反力が、茶漉し６の外周に対し、矢印Ｂのように外向きにすなわち放射状に作用するから、外周が係止部５に強く押し当り、茶漉し６が確実に装着できて、使用中みだりに外れない。
なお隆起部１４は省略することも可能である。茶漉し６の直径が急須の内径に比べ充分大きいときは、装着時の変形率も大きいため、隆起部１４を省略して急須１の底面が平坦であっても、矢印Ｂの反力が充分に発生する。
【００１３】
茶漉し６の上に茶の葉を入れ熱湯を注ぐと、抽出した茶が茶漉し６を経て注ぎ口２より出る。茶の葉は茶漉し６の上に残る。使い終ったら蓋４を外して急須１を逆さにし、そのまま茶殻を捨ててもいいが、茶漉し６を外せば茶殻を残らず捨てることが出来る。その場合、摘み７を指先で摘んで上に引っ張り、茶漉し６を引き上げれば、茶漉し６は中央部が持ち上がって全体が凸曲面に変形し、見かけの直径が縮小するため、外周が係止部５から上方に容易に離脱する。茶漉し６を取り外せば、茶漉し自体の洗浄のみならず、急須１の底部も洗浄できるので、清潔である。
【産業上の利用可能性】
【００１４】
本考案は、日本茶の急須のほか紅茶や中国茶のポットに利用できる。
【符号の説明】
【００１５】
１は急須
３は茶の出口
５は係止部
６は茶漉し
７は摘み
１４は隆起部
【図１】
0003156373.tif 000003
【図２】
0003156373.tif 000004
【図３】
0003156373.tif 000005
【図４】
0003156373.tif 000006
【図５】
0003156373.tif 000007
【図６】
0003156373.tif 000008